(57)【要約】      （修正有）【課題】オープンコンテナをリーチスタッカのスプレッダに設けたツイストロックに吊り下げるための安全なコンテナの吊り金具を提供する。【解決手段】コンテナ吊り金具Ｄは、上面と下面にリーチスタッカのスプレッダに設けられたツイストロックを挿入するためのロックポケット１０ａを設けた筒状体１０と、オープンコンテナに接結したワイヤー部のシャックルを係合するためのＵ字金物１４と、Ｕ字金物１４の２つの端部が筒状体１０の外側になるように取り付けるピン１５とからなる構成である。リーチスタッカのスプレッダのサービスホールを使用することなく、ツイストロック本来の吊る機能を活かし安心、安全に速く荷役作業ができる。【選択図】図１
0003204128.tif 000002
【実用新案登録請求の範囲】
【請求項１】
リーチスタッカのスプレッダに設けられたツイストロックにオープンコンテナを吊り下げるための吊り具であって、上面と下面にツイストロックを挿入するためのロックポケットを設けた筒状体と、オープンコンテナに接続したワイヤーのシャックルを係合するためのＵ字金物と、Ｕ字金物の２つの端部が筒状体の外側になるようにＵ字金物を筒状体の側面に取り付けるピン、とからなることを特徴とするコンテナ吊り金具。
【請求項２】
筒状体のロックポケットは、筒状体の上端と下端に小判形の孔を設けた板を取り付けて形成したことを特徴とする請求項１に記載のコンテナ吊り金具。
【請求項３】
Ｕ字金具は、シャックルを係合した後にシャックルの位置決めができる凹部を設けていることを特徴とする請求項１または請求項２に記載のコンテナ吊り金具。
【請求項４】
Ｕ字金具を取り付けるためのピンは筒状体の軸方向のほぼ中央部に設けられたことを特徴とする請求項１乃至請求項３のいずれかに記載のコンテナ吊り金具。
【考案の詳細な説明】
【技術分野】
【０００１】  本考案は、オープンコンテナを吊り上げるためのコンテナの吊り金具に関する。
【背景技術】
【０００２】港湾で機械装置等重量物の運搬では図５（ａ）に図示する側方に壁のあるオープンコンテナを使う。又はオープンコンテナと同様なフラットラックコンテナと呼ばれるコンテナを使用する場合もある。その運搬方法について図５を用いて以下に説明する。図５（ａ）に図示しているように、オープンコンテナＡは台座１に垂直に立ち上がった壁２を設け、壁２の上の四隅の突端水平部には係止孔３と呼ぶ小判形の孔が明けられ、この寸法はＩＳＯ規格で決められている。図５（ｂ）はオープンコンテナＡを吊り下げたリーチスタッカＣを図示しており、リーチスタッカＣはリーチスタッカ台車１００の上に昇降制御されるブーム１０２が設けられ、ブーム１０２は両側に伸縮自在なスプレッダ８が設けられている。図５（Ｃ）はそのスプレッダ８の一端を図示しており、スプレッダ８の下部にツイストロック９、ツイストロック９の上方にメンテナンスのための孔であるサービスホール１０１が設けられている。図５（ｄ）はスプレッダ８とオープンコンテナＡを繋ぐワイヤー部Ｂであって、ツイストロック４がワイヤー５でシャックル５ａに繋がれている。【０００３】オープンコンテナＡを運搬するときは、オープンコンテナＡの係止孔３にワイヤー部Ｂのツイストロック４を差し入れ人力で９０°回転させてツイストロック４をロックさせ、これに繋がったワイヤー５を介して繋がったシャックル５ａをリーチスタッカＣのスプレッダ８のメンテナンス用のサービスホール１０１に係止する。この状態でリーチスタッカＣのブーム１０２を起こすとオープンコンテナＡは持ち上がり、運搬される。
荷物の高さが壁２の高さ以下であれば、スプレッダ８のツイストロック９を直接係止孔３に差し入れスプレッダ８の操作でツイストロック９は９０°回転でき係止できるが、壁２の高さを超える荷物の場合は上述の如くワイヤーを介して吊るのが現状である。
【考案の概要】
【考案が解決しようとする課題】
【０００４】リーチスタッカのメーカはサービスホール１０１はあくまでもメンテナンス（整備）用ホールであり、これを利用して荷物を吊ることは禁止事項であり、安心安全を担保出来ないので絶対に止めて欲しいと勧告しているが、壁２の高さを超える荷物の場合は上述の如くワイヤーを介して吊り、ワイヤー５を介して繋がったシャックル５ａをリーチスタッカＣのスプレッダ８のサービスホール１０１に係止するのが現状である。【０００５】  そこで、この考案の課題は、壁２を超える高さの荷物を積載したオープンコンテナＡを安全に効率よく吊り下げるために、リーチスタッカの本来の吊り箇所であるツイストロック９を利用できるコンテナ吊り具を提供することにある。
【課題を解決するための手段】
【０００６】  この課題を解決するために、本考案のコンテナの吊り金具は、リーチスタッカのスプレッダに設けられたツイストロックにオープンコンテナを吊り下げるための吊り具であって、上面と下面にツイストロクを挿入するためのロックポケットを設けた筒状体と、オープンコンテナに接結したワイヤーのシャックルを係合するためのＵ字金物と、Ｕ字金物の２つの端部が筒状体の外側になるようにＵ字金物を筒状体の側面に取り付けるピンとからなることを特徴とする。【０００７】また、本考案のコンテナの吊り金具の筒状体のロックポケットは、筒状体の上端と下端に小判形の孔を設けた板を取り付けて形成したことを特徴とする。【０００８】また、本考案のコンテナの吊り金具のＵ字金具は、シャックルを係合した後シャックルの位置決めができる凹部を設けていることを特徴とする。【０００９】また、この考案のコンテナの吊り金具は、Ｕ字金具を取り付けるためのピンは筒状体のほぼ中央部に設けていることを特徴とする。
【考案の効果】
【００１０】  本考案によれば、スプレッダのツイストロックをコンテナ吊り金具のロックポケットに接続でき、またオープンコンテナに接続されたワイヤーのシャックルをコンテナ吊り金具のＵ字金物に接合するだけでスプレッダとオープンコンテナを安全確実に繋ぐことができ、特に、ロックポケットをオープンコンテナに設けられた係止孔と同様に小判形の孔を設けた板を取り付けて形成しているので、短時間に吊り上げ可能となる。【００１１】  Ｕ字金具は、シャックルを係合した後に位置決めできる凹部を設けているので、荷物を吊ったときシャックルはずれることなくＵ字金具の中央部に安定し、荷物がずれることはない。【００１２】  Ｕ字金具をピンで取り付けるためのピンは筒状体のほぼ中央部に設けているので、シャックルをＵ字金具に取り付けるときは、筒状体の上面，下面どちらにでもシャックルは容易に取り付けでき、取り外しも同様に容易である。
【図面の簡単な説明】
【００１３】
【図１】コンテナ吊り金具の全体図
【図２】コンテナ吊り金具の分解図
【図３】本考案のコンテナ吊り金具にワイヤーのシャックルを取り付けた図
【図４】本考案のコンテナ吊り金具を使用してリーチスタッカでオープンコンテナを吊り上げた図
【図５】従来使用実施されていたリーチスタッカでオープンコンテナを吊り上げた図
【図６】筒状体を２個１組に結合した図
【考案を実施するための形態】
【００１４】  以下、本考案を図面を用いてより詳細に説明する。
図１は、本考案のコンテナ吊り金具Ｄの全体図である。図２は、コンテナ吊り金具Ｄの分解図である。
本考案のコンテナ吊り金具は、上面と下面にリーチスタッカＣのスプレッダ８に設けられたツイストロック９を挿入するためのロックポケット１０ａを設けた筒状体１０と、オープンコンテナＡに接続したワイヤー５のシャックル５ａを係合するためのＵ字金物１４と、Ｕ字金物１４の２つの端部が筒状体１０の外側になるように筒状体１０にピン１５を貫通させ取り付けた構成である。
筒状体１０には上端と下端に小判形の孔１１を設けた板１２を溶接して取り付け、上面と下面にリーチスタッカＣのスプレッダ８に設けられたツイストロック９を挿入するためのロックポケット１０ａを形成している。
【００１５】つぎに、このようなコンテナ吊り金具Ｄを用いて、オープンコンテナＡを運搬する方法について説明する。
図３は、コンテナ吊り金具Ｄにワイヤー部Ｂのシャックル５ａを取り付けた図、図４は、本コンテナ吊り金具Ｄを使用してリーチスタッカＣでオープンコンテナＡを吊り上げた図である。本考案によれば、リーチスタッカＣのスプレッダ８のツイストロック９をコンテナ吊り金具Ｄのロックポケット１０ａに接続でき、またオープンコンテナＡの係止孔３にワイヤー部Ｂのツイストロック４を挿入し、ワイヤー部Ｂのシャックル５ａをコンテナ吊り金具のＵ字金物１４に接合するだけでスプレッダ８とオープンコンテナＡは繋がり短時間に吊り上げ可能となる。
【００１６】  Ｕ字金具１４は、シャックル５ａを係合した後に位置決めできる凹部１４ａを設けているので荷物を吊ったときシャックル５ａはずれることなくＵ字金具１４の中央部に安定し、荷物がずれることはない。
【００１７】凹部１４ａはシャックル５ａの半径より若干大きい半径になるように決めて成形し、且つシャックル５ａが凹部１４ａに収まったとき上部に抜け出さないよう寸法に板１２との隙間を決めてあるので、荷物移動に伴う慣性力によるずれが発生しないので、安定した荷役作業ができる。
【００１８】  Ｕ字金具１４をピン１５で取り付けるためのピン孔１４ｂは筒状体１０のほぼ中央部に設けているので、シャックル５ａをＵ字金具１４に取り付けるときは、Ｕ字金具１４の先端を持ち上に引き上げるとピン１５を中心にして回転するのでシャックル５ａは容易に取り付けでき、取り外しも同様に容易である。しかも、ロックポケット１０ａを形成するために上面，下面とも小判形の孔１１を設けた板１２を使用しているので、上面、下面どちらの面にもツイストロック９を容易に接続できる。
【００１９】本考案で説明したこのコンテナ吊り金具の実施例を記載すると、筒状体１０の材質は金属であり、ツイストロック９が入り込む寸法を考慮して外径１６５ｍｍ、長さ２００ｍｍ形成している。そして、Ｕ字金具１４を取り付けた全長は２５０ｍｍ程度、重量は１個約２０ｋｇとコンパクトに形成する。このような実施例では、取扱は一人ででき、取り付けた状態もツイストロック９にフィットし、リーチスタッカの作業性を増す効果がある。
【００２０】更に作業性を高めるために図６に示すように、コンテナの短手方向の係止孔対向寸法に合わせて接続部材５０で筒状体１０を溶接固定し、更に中央部に運搬用のフォークリフトの爪が入るフォークポケット５１を設けると、筒状体１０の２個を１度で運搬でき、所定の位置に置くとスプレッダ８に設けられたツイストロック９は小判形の孔１１にスムーズに挿入でき、安全に作業性も更に増す効果がある。
本考案の実施例を図１〜図４及び図６を用いて説明したが、図面に記載されている形状に限定される訳ではなく、例えば筒状体は断面を四角形にすることも設計的事項である。
【符号の説明】
【００２１】１  台座
２  壁
３  係止孔
４  ツイストロック
５  ワイヤー
５ａ  シャックル
８  スプレッダ
９  ツイストロック
１０  筒状体
１０ａ  ロックポッケト
１１  小判形の孔
１２  板
１４  Ｕ字金具
１４ａ  凹部
１４ｂ  ピン孔
１５  ピン
５０  接続部材
５１  フォークポケット
１００  リーチスタッカ台車
１０１  サービスホール
１０２  ブーム
Ａ  オープンコンテナ
Ｂ  ワイヤー部
Ｃ  リーチスタッカ
Ｄ  コンテナ吊り金具
【図１】
0003204128.tif 000003
【図２】
0003204128.tif 000004
【図３】
0003204128.tif 000005
【図４】
0003204128.tif 000006
【図５】
0003204128.tif 000007
【図６】
0003204128.tif 000008